(57)【要約】【課題】腐食によるスプリンクラヘッドの水漏れが発生する前に、そのスプリンクラヘッドの腐食状況の悪化を検知できるようにする。【解決手段】放水口を有するヘッド本体と、該放水口をガスケットを介して塞ぐ弁体とを備えたスプリンクラヘッド３が、配管２に接続される消火設備において；放水口２２を有するヘッド本体２３と、該放水口２２を塞ぐ透明な材料で形成した蓋部材２５と、前記放水口２２と蓋部材２５とにより挟持され、前記スプリンクラヘッドのガスケットよりも薄く形成されたガスケット２４と、を備えている。【選択図】図２
2006280637.tif 000002
【特許請求の範囲】
【請求項１】
放水口を有するヘッド本体と、該放水口をガスケットを介して塞ぐ弁体とを備えたスプリンクラヘッドが配管に接続される消火設備において；
腐食により生じる水漏れを検出する水漏れ検出器を前記配管に取り付けたことを特徴とする消火設備。
【請求項２】
前記水漏れ検出器は、前記ヘッド本体と、該ヘッド本体の放水口をガスケットを介して塞ぐ蓋部材とから構成されることを特徴とする請求項１記載の消火設備。
【請求項３】
前記蓋部材と前記ヘッド本体の間に着色塗料を設け、水漏れ検出器の蓋部材を透明樹脂で成型したことを特徴とする請求項２記載の消火設備。
【請求項４】
前記水漏れ検出器のガスケットは、前記スプリンクラヘッドのガスケットよりも薄いことを特徴とする請求項２、又は、３記載の消火設備。
【請求項５】
前記配管を戸建住宅に設け、前記水漏れ検出器を前記配管の基端側に設置される水道メータの近傍に取り付けたことを特徴とする請求項１、２、３、又は、４記載の消火設備。
【発明の詳細な説明】
【技術分野】
【０００１】
この発明は、スプリンクラヘッドが配設されている消火設備に用いられる、水漏れ検出器に関するものである。
【背景技術】
【０００２】
一般ビルや戸建住宅には、消火設備としてスプリンクラヘッドが設置されている。スプリンクラヘッドは、一度建物が竣工してしまうと、その建物が解体されるまではほとんど取り替えることはない。そのため、一度設置すると、何十年という長い期間の間、保守をせずに取り付けられたままとなる。
【０００３】
又、スプリンクラヘッドは設置後、建物が取り壊されるまでその機能を保持し、いかなる場合でも火災時には、作動して消火を行わなければならない。そのため、従来のスプリンクラヘッドは、構成部品が耐熱性や耐腐食性に優れたステンレスや青銅等の金属材料で作られている。
【０００４】
ところで、スプリンクラ消火設備において、配管を接続する際に、配管や継手部材等を溶接すると、溶接に用いられたフラックスが配管内に残留することがある。このフラックスを除去しないで導水してしまうと、フラックスの化学成分が水に溶けだしてしまう。
【０００５】
配管内の水にフラックスの成分が含まれると、スプリンクラヘッドの止圧構造であるメタルパッキンやＯリングが溶けてしまい、スプリンクラヘッドから水が漏れるという問題がある。
【０００６】
この様なスプリンクラヘッドの腐食の問題を解決するため、スプリンクラヘッドの構成部品を耐腐食性に優れた非金属材料で構成したり（例えば、特許文献１、参照）、又は、配管内に水の代わりに不活性ガスを充填している（例えば、特許文献２、参照）。
【０００７】
【特許文献１】特開平１１−２０６９０７号
【特許文献２】特開平１１−２６２５４１号
【発明の開示】
【発明が解決しようとする課題】
【０００８】
前記従来例では、外観からは腐食具合がわからず、実際上は、スプリンクラヘッド自体を配管から取り外してみないと、その腐食状態を確認することはできない。そこで、このスプリンクラヘッドの腐食状態を確認するには、スプリンクラヘッドの取り外しが必要になる
【０００９】
しかし、スプリンクラヘッドを取り外す場合には、該スプリンクラヘッドに過度な力が加わる。そのため、点検のため取り外したスプリンクラヘッドは、再使用できないので、新しいものと交換しなければならない。又、日常生活しているスペースにおいてのスプリンクラヘッドの取り外し取り付け作業は、きわめて困難である。そのため、スプリンクラヘッドのシール部分の点検は、事実上できない状況であり、実際に水漏れが発生するまで放置しておくのが現状である。
【００１０】
この発明は、上記事情に鑑み、腐食によるスプリンクラヘッドの水漏れが発生する前に、そのスプリンクラヘッドの腐食状況の悪化を検知できるようにすることを目的とする。
【課題を解決するための手段】
【００１１】
この発明は、放水口を有するヘッド本体と、該放水口をガスケットを介して塞ぐ弁体とを備えたスプリンクラヘッドが配管に接続される消火設備において；腐食により生じる水漏れを検出する水漏れ検出器を前記配管に取り付けたことを特徴とする。
【００１２】
この発明の水漏れ検出器は、前記ヘッド本体と、該ヘッド本体の放水口をガスケットを介して塞ぐ蓋部材とから構成されることを特徴とする。この発明の蓋部材と前記ヘッド本体の間には、着色塗料が設けられ、水漏れ検出器の蓋部材は透明樹脂で成型されていることを特徴とする。この発明の水漏れ検出器のガスケットは、前記スプリンクラヘッドのガスケットよりも薄いことを特徴とする。この発明のスプリンクラ消火設備は、スプリンクラ配管を戸建住宅に設け、前記水漏れ検出器を前記配管の基端側に設置される水道メータの近傍に取り付けたことを特徴とする。
【発明の効果】
【００１３】
この発明は、腐食によって生じる水漏れを検出する水漏れ検出器を前記配管に取り付けたので、該水漏れ検出器で水漏れを検知することにより、スプリンクラヘッドを配管から取り外すことなく、スプリンクラヘッドの腐食状況の悪化を推測できる。即ち、スプリンクラヘッドから生じうる水漏れの危険性を検知することができる。
【００１４】
この発明は、放水口を有するヘッド本体と、該放水口をガスケットを介して閉鎖する透明樹脂製の蓋部材と、前記蓋部材と前記ヘッド本体の間に着色塗料を設けたので、水が漏れて着色塗料が該水に溶けることにより、水の色が変わるので、外側から水漏れを確認することができる。
【００１５】
又、水漏れ検出器のガスケットは、スプリンクラヘッドのガスケットよりも薄く形成されているので、スプリンクラヘッドから水漏れが発生する前に、配管の腐食状況を知ることができる。
【００１６】
水漏れ検出器は、水道メータの近傍に取り付けられるので、戸建住宅内に立ち入ることなく、配管の腐食状況を点検することができる。
【発明を実施するための最良の形態】
【００１７】
本件発明者は、配管に複数のスプリンクラヘッドが配設されていると、腐食による水漏れは、各スプリンクラヘッドで同様に発生すると考えた。そこで、該スプリンクラヘッドと同様のシール構造を有する、水漏れ検出手段を用いれば、該スプリンクラヘッドの腐食による水漏れを推測できると考えた。そこで、具体的な水漏れ検出手段について研究実験を重ね、ヘッド本体と、該ヘッド本体の放水口をガスケットを介して塞ぐ蓋部材とを備えた水漏れ検出器を開発した。
【００１８】
この水漏れ検出器では、該蓋部材とヘッド本体の間に着色塗料を設け、蓋部材を透明樹脂で成型すると、水漏れが発生した際に着色塗料が水に溶け着色されるので、外部から容易に水漏れを確認することができる。又、ガスケットの厚さを前記スプリンクラヘッドのガスケットよりも薄くすると、スプリンクラヘッドよりも早く水漏れが発生するので、早期に水漏れを検知することができる。
【実施例】
【００１９】
この発明の実施例を図１〜図３に基づいて説明する。
戸建住宅Ｈに敷設された水道本管１には、第２の止水弁１３、水道メータ１２が順次設けられ、該水道本管１から配管１ａが分岐しており、該配管１ａの先端には生活用の給水栓１４が設けられている。
【００２０】
水道本管１からスプリンクラ配管２が分岐しており、該スプリンクラ配管２には、所定間隔をおいて複数のスプリンクラヘッド３が設けられている。前記スプリンクラヘッド３は、図示を省略するが、放水口を有するヘッド本体と、該放水口をガスケットを介して塞ぐ弁体と、該弁体を支持する感熱分離機構と、を備えている。このスプリンクラヘッド３の上流側には、順次、水漏れ検出器２１、流水検知装置５、逆止弁６、第１の止水弁７が配設され、又、その下流側には、順次、定流量弁１０、末端給水栓１１が設けられている。なお、２０は制御盤で、流水検知装置５及び図示しない火災感知器等の火災検知手段に接続されている。
【００２１】
水漏れ検出器２１は、腐食によって生じる水漏れを検出する手段であり、スプリンクラヘッド３のシール部と同一又は類似の構成部品、即ち、放水口２２を有するヘッド本体２３と、該放水口２２をガスケット２４を介して塞ぐ蓋部材２５と、を備えている。このように、水漏れ検出器２１の本体は、スプリンクラヘッド３とほぼ同等な構成で、かつ若干早期にガスケット２４による水漏れが発生するように構成される。なお、水漏れ検出器２１は、スプリンクラヘッドと同じヘッド本体２３を使用することで、製造が容易になるが、ヘッド本体２３については、配管２に接続でき、かつガスケット２４が取り付けられる放水口２２を有する形状を備えているものであれば、どのような形状のものを使用してもよい。
【００２２】
ヘッド本体２３の接続部外周には、連結管Ｃと螺合するねじ部２３ａが設けられ、放水口２２の出口縁部には弁座２２ａが突設されている。ヘッド本体２３の下端部には、拡径取付部２３ｂが設けられ、該取付部２３ｂの内周面には、ねじ部２３Ｃが設けられている。
【００２３】
ガスケット２４は、例えば、スプリンクラヘッド３のガスケットと同一材料の銅により同形状に形成され、円筒本体２４ａと、該円筒本体２４ａの上端面を閉鎖する天板壁２４ｂと、該円筒本体２４ａの下端縁に連続するフランジ２４ｃと、から構成されている。このガスケット２４の厚さは、スプリンクラヘッド３のガスケットの厚さよりも薄く形成されている。
【００２４】
蓋部材２５は、透明な樹脂により形成され、その外周部には、ねじ部２３ｃと螺合するねじ部２５ａが設けられ、その上面中央部には、ガスケット２４のフランジ２４ｃを押圧する弁体部２５ｂが設けられている。前記弁体部２５ｂの中央部及び該弁体部２５ｂと外周部との間には収納凹部２５ｃが設けられている。この収納凹部２５ｃには水溶性の着色塗料２７が収納されている。
【００２５】
次に、本実施例の作動について説明する。
ガスケット２４が腐食し、弁座２２ａとフランジ２４ｃとの間に隙間が発生すると、放水口２２内の消火水Ｗは、前記隙間を伝わって収納凹部２５ｃに流入する。そうすると、図２に示すように、収納凹部２５ｃ内の着色塗料２７が溶けるので、該収納凹部２５ｃ内の水は、色、例えば、赤色の付いた水Ｗ１になる。
【００２６】
蓋部材２５は、透明な材料で形成されているので、外部から前記収納凹部２５ｃの水Ｗ１を見ることができる。そのため、外部から水漏れを簡単に確認することができる。また、ガスケット２４は、スプリンクラヘッド３のガスケットよりも薄く形成されているので、スプリンクラヘッド３よりも早く水漏れが発生する。そのため、早い時期にスプリンクラヘッドの水漏れの可能性を知ることができる。
【００２７】
この発明の実施例は、上記に限定されるものではなく、例えば、次の様にしても良い。
（１）水漏れ検出器のガスケットの厚さを、スプリンクラヘッドのガスケットの厚さよりも薄くする代わりに、同一厚さにすること。
【００２８】
収納凹部に着色塗料を収容する代わりに、水に触れると変化する材料、例えば、匂いが発生する香料材や、光が発行する発光材料などを収納しても良い。
（３）水漏れ検出器の配設位置は、必要に応じて適宜選択することができる。例えば、ａ：スプリンクラ配管２のスプリンクラヘッド３と定流量弁１０との間、ｂ：スプリンクラ配管２の末端給水栓１１の近傍、ｃ：水道本管１の水道メータ１２の近傍、などに配設することができる。なお、水道メータ１２の近傍に設けると、戸建住宅内に立ち入ることなく配管の腐食状況を点検することができる。
【００２９】
（４）水漏れ検出器は、スプリンクラ配管の二次側に常時消火水が充填されている、湿式スプリンクラ消火設備だけではなく、前記二次側に常時圧縮空気や不活性ガスが充填されている乾式スプリンクラ消火設備にも用いることができる。
（５）蓋部材を高さ方向に厚みのあるカップ状に形成してもよい。この場合、蓋部材内に水がたまるので、着色塗料がなくても水漏れの発生を外部から確認することができる。
（６）戸建て住宅でなく一般のビルのスプリンクラ消火設備の配管に水漏れ検出器を取り付けてもよい。この場合、取付位置としては、例えば、流水検知装置や末端試験弁の近傍に設ければよい。このような取付位置だと、定期点検時に、人が立ち入るので、水漏れの検知を行いやすい。
【図面の簡単な説明】
【００３０】
【図１】本発明の実施例を示す縦断面図である。
【図２】水漏れ発生時の状態を示す縦断面図で、図１に対応する図である。
【図３】水漏れ検出器の設置状態を示す正面図である。
【符号の説明】
【００３１】
２２      放水口
２３      ヘッド本体
２４      ガスケット
２５      蓋部材
２７      着色塗料
Ｗ        水
Ｗ１      色の付いた水
【図１】
2006280637.tif 000003
【図２】
2006280637.tif 000004
【図３】
2006280637.tif 000005